Podtech/llm-jp-corpus-v4-ja_patent huggingface dataset:
(57)【要約】      （修正有）【課題】ペットボトルキャップ内底部に装着したストローを活用し、口飲みが通常とされているボトル飲料を、体裁構うことなく吸飲できるストロー付ボトルキャップを提供する。【解決手段】ボトルキャップ内底部に設けた突起スティック２に、取り外し可能な二層式ストローを装着。キャップの開栓により引き出されるストロー（Ａ）４を、ストロー（Ｂ）５のストッパー羽根６でサポートし、ストロー（Ａ）４を必要長に伸ばし蛇腹部７にて飲み易い角度とし、ストロー吸飲を可能とするものである。【選択図】図１
0003182192.tif 000002
【実用新案登録請求の範囲】
【請求項１】
ボトルキャップ内底部に突起スティックを設け、ストローが差し込み装着できることを特徴とする、ストロー付ボトルキャップ。
【請求項２】
請求項１記載の突起スティックの一部に、装着ストローの離脱防止となる凸部が設けられていることを特徴とする、ストロー付ボトルキャップ。
【請求項３】
請求項１記載のキャップに装着するストローは、取り外し可能な二層式で、開栓により必要長まで引き出せることを特徴とする、ストロー付ボトルキャップ。
【請求項４】
請求項１記載のキャップに装着する二層式ストローの、外側ストロー先端部がカットされ、ボトル内での引出しストッパー羽根とすることを特徴とする、ストロー付ボトルキャップ。
【考案の詳細な説明】
【技術分野】
【０００１】  この考案は、通常のペットボトルキャップの内底部に突起部を設け、その突起部にストローを差し込み装着したストロー付ボトルキャップに関するものである。
【背景技術】
【０００２】  通常、ペットボトル飲料はキャップを開栓し口飲みとするが、飲用には顔面を上げての所作となり、公の場においては余り品の良いものと言えない。又ドライバーが運転中に飲用するにあたっては、一時的であるにせよ視界の妨げともなる。市販されているものに、ストローをボトル口に補填し活用するものもあるが、常に携帯の要が有り常備対応できない不備がある。
【考案の概要】
【考案が解決しようとする課題】
【０００３】  ペットボトルの口飲み飲用への体裁の悪さ等を考慮し、ボトルキャップの内底部に突起部を設け、そこに引き出し可能なストローを装着した。飲用にはそのストローを活用することにより、見苦しい所作なく吸飲ができることを目的とした。
【課題を解決するための手段】
【０００４】  通常のボトルキャップ内底部に設けられた突起部に、飲用への必要長を確保する伸縮二層式ストローを装着した、ストロー付ボトルキャップである。
【考案の効果】
【０００５】  このような構成により、ボトルの飲料をストレートに口飲みしたり、周囲の状況に応じたストロー吸飲での対応が可能となる。
【図面の簡単な説明】
【０００６】
【図１】  本考案のストロー付ボトルキャップの平面図である。
【図２】  本ストロー付ボトルキャップの実施斜視図である。
【考案を実施するための形態】
【０００７】  本考案は図１で示すようなボトルキャップで、キャップ本体１の内底部に円筒状もしくは棒状（スティック）２を設け、一部分の凸部３で装着ストロー（Ａ）４の離脱防止を果たしている。装着のストローは二層式で、２に差し込まれた４はキャップの開栓により引き出されるが、必要長で取り外し７部分にて飲用し易い角度にして活用する。ストロー（Ｂ）５の先端部分は四面にカットされ、傘状に開かれストッパー羽根６として、開栓によって引き出される４のサポートをする構成となっている。
【実施例１】
【０００８】  会議などの公の場でペットボトル飲料が出される時、別途に紙コップ等を用意するが、ストロー付きであれば、その必要性もなく対面者に対し失礼のない目線を逸さぬ飲用ができる。
【実施例２】
【０００９】  屋外で自動販売機より購入しての飲用時、ストロー付なので婦女子にとっても体裁を構うことなく吸飲できるし、お年寄りや子供にとっても口飲みのようにむせたり、零したりのアクシデントを最小限に止めることができる。
【符号の説明】
【００１０】  １  ボトルキャップ本体
２  突起スティック
３  凸部
４  ストロー（Ａ）
５  ストロー（Ｂ）
６  ストッパー羽根
７  蛇腹
【図１】
0003182192.tif 000003
【図２】
0003182192.tif 000004
(57)【要約】      （修正有）【課題】給油の際にその都度フタを取ることなく給油ができる灯油容器のキャップを提供する。【解決手段】灯油容器のキヤップであって、前記キヤップの中央部に灯油ポンプの入る穴を設け、前記キヤップ内に前記穴から内周螺合部に向けて、中央部に穴を有する軟質性パッキン１及び硬質性パッキン２をこの順で設けたことを特徴とする。【選択図】図２
0003182161.tif 000002
【実用新案登録請求の範囲】
【請求項１】
灯油を移す時に、容器のキヤップを外すことなく簡単に給油できるキヤップ
【考案の詳細な説明】
【考案の詳細な説明】
【考案が解決しようとする課題】
【０００１】従来灯油を移す場合、容器のキヤップを外し、給油ポンプを差し入れ、終ったらキヤップを閉めていた。非常に手間がかかり開閉に問題点を有していた。
【課題を解決するための手段】
【０００２】上記目的を達成するために、キヤップの中央に、給油ポンプが入る穴をあけ、給油ポンプをはずすことなく、ポリ容器につけたまま、すぐに給油でき、尚かつ中間にパッキンをつける事で、容器が倒れても、こぼれない構造にた。又給油時の手の汚れも解消された。
【図面の簡単な説明】
【０００３】
【図１】考案したキヤップの斜視図である
【図２】考案したキヤップの断面図である
【図３】考案したキヤップを上から見た図である
【図４】考案したキヤップの実例図である
【符号の説明】
【０００４】１  軟質性のパッキン
２  硬質性のパッキン
【図１】
0003182161.tif 000003
【図２】
0003182161.tif 000004
【図３】
0003182161.tif 000005
【図４】
0003182161.tif 000006
【手続補正書】
【提出日】平成24年12月6日(2012.12.6)
【手続補正１】
【補正対象書類名】実用新案登録請求の範囲
【補正対象項目名】全文
【補正方法】変更
【補正の内容】
【実用新案登録請求の範囲】
【請求項１】
灯油容器のキヤップであって、前記キヤップの中央部に灯油ポンプの入る穴を設け、前記キヤップ内に前記穴から内周螺合部に向けて、中央部に穴を有する軟質性パッキン及び硬質性パッキンをこの順で設けたことを特徴とする、灯油容器のキヤップ
(57)【要約】      （修正有）【課題】携帯が容易で、簡単に指の先端に挿入して外出時等の食後、間食後に歯磨きを可能にする指歯ブラシを提供する。【解決手段】軟質の合成樹脂材料で、ブラシ部分２、ブラシベース３を指に装着する指管４を一体成形し、軟質材の特徴を生かし、ブラシ部も軟質な故、歯面、歯茎を磨き過ぎても損傷することなく、指の最先端が露出しているので、口の中の指歯ブラシ１の挿入状況が指感触で得られ、指歯ブラシ１を指に装着する指管４も２分割しているので、指歯ブラシ１を指先の背側に挿入して、指先が曲げ易く、指を曲げることによって、ブラシベースが前後に伸ばされ、突起２に応力がかかる。【選択図】図１
0003182169.tif 000002
【実用新案登録請求の範囲】
【請求項１】
軟質材の合成樹脂管の長さ約３０〜４０ミリメートルを指先部に挿入し、管の片半分に長さ約３〜１０ミリメートルの突起をランダムに数十本を管材料と同質で一体成形により設けてブラシ部分とし、前記軟質の合成樹脂管の前述ブラシ部分以外の片半分は指先部に挿入した時に、指の太さが変化しても密着するように指管部に切り欠きを設け、該指管部は前部分と後ろ部分との２部分に分け、ブラシ部分を指先の背側に持ってきたとき、指先が曲がり易くする目的であり、該指先を曲げたとき、ブラシ部分の数十本の突起風合い密度が大きくなり、ブラシベースが引張り応力によって前後に引き伸ばされ、該突起はブラシベースに垂直に応力を増し、該突起は歯間に食い込みやすくなり、歯間磨き効果が得られる軟質指歯ブラシ。
【考案の詳細な説明】
【技術分野】
【０００１】  通常の歯ブラシは、手で持つように長い柄がありその先端にブラシが設けられているが、外出時、食後や間食後に歯を磨くとき、長い柄の付いた歯ブラシを携帯するには不都合なことが多いので、ブラシ部分のみをポケットやセカンドバック等に忍ばせて、何時でも、容易に歯磨きを可能にした歯ブラシである。
【背景技術】
【０００２】  軟質の合成樹脂材でブラシ部分とベース部分、指管が一体成形されているので、指に挿入しても指の曲げ伸ばしが容易で、歯面や歯茎に密着し、ブラシも柔軟で歯茎を損傷することがなく、指を曲げるとブラシが押し上げられ突起で歯間を掃除し易くなる。
【考案の開示】
【考案が解決しようとする課題】
【０００３】  しかしながら、従来からの指歯ブラシは、ブラシは硬質の合成樹脂毛でブラシ台も、硬質の合成樹脂で口内の湾曲した歯並びや柔らかい歯茎には、沿い難く柔軟に対応しがたく、力加減によって歯茎や歯間を損傷する欠点があった。
【課題を解決するための手段】
【０００４】  本考案は、軟質材の合成樹脂管の長さ約３０〜４０ミリメートルを指先部に挿入し、管の片半分に長さ約３〜１０ミリメートルの突起をランダムに数十本を管材料と同質で一体成形により設けてブラシ部分とし、前記軟質の合成樹脂管の前述ブラシ部分以外の片半分は指先部に挿入した時に、指の太さが変化しても密着するように指管部に切り欠きを設け、該指管部は前部分と後ろ部分との２部分に分け、ブラシ部分を指先の背側に持ってきたとき、指先が曲がり易く、該指先を曲げたとき、ブラシ部分の数十本の突起風合い密度が大きくなり、ブラシベースが引張り応力によって前後に引き伸ばされ、該突起はブラシベースに垂直に応力を増し、該突起は歯間に食い込みやすくなり、歯間磨き効果が得られる軟質指歯ブラシである。
【考案の効果】
【０００５】  本考案に係る軟質指歯ブラシ１は、軟質材であるため、歯を磨くとき、多少指に力が加わっても、湾曲した歯並びや歯茎にも密着しやすく歯茎も損傷することはなく、そのまま舌面に当て舌面の掃除も可能である。また、指の背側に軟質指歯ブラシ１を挿入し、指先を内側に曲げるとブラシベース３が前後に応力Ａ，Ｂが得られ、ブラシ１としている突起２が上方向Ｃに押し上げられ、歯間に該突起２が入り易くなり掃除が容易になる。【０００６】  本考案に係る軟質指歯ブラシ１は、指先に挿入して使用するものであるから、非常にコンパクトで携帯に適合し、外出先の食事後や間食後にも容易に歯磨きが可能であり実用性に優れている。
【図面の簡単な説明】
【０００７】
【図１】本考案の全体の斜図である。
【図２】本考案品を使用状態で指先に挿入した斜図である。
【図３】本考案品を指先の背側に挿入した斜図である。
【図４】本考案品を装着し指先を曲げたときの突起の応力拡大図参考図である。
【考案を実施するための形態】
【０００８】  本考案を図に基づいて説明していくと、図１に示すように、軟質の合成樹脂で一体成形された軟質指歯ブラシ１の全体の斜図で、指先が挿入可能な長さ３０〜４０ミリメートルの管で形成されブラシベース３とし、該軟質指歯ブラシ１の、上面半分は高さ３〜１０ミリメートルの突起２がランダムに数十本設けられ歯ブラシのブラシ部分を形成している。
【０００９】  上記のブラシベース３の下半分は、指先が挿入可能なように指管４に２分割にし、指管４の下部に挿入した大小の太さに密着しやすく切り欠き４ａを設けて、特に指先の背側の図３状態に挿入したときに、一体の指管４では曲がり難いので、中間部を空白にして指管４を２分割することによって指先の屈伸を容易にしている。
【００１０】図２は、通常の使用状態である本考案品１を指先の腹側に挿入した斜図で、該軟質指歯ブラシ１を指先に挿入したとき、指先の最先端５までブラシ部分を設けず指先の最先端５が覗くようにカットして、指の最先端５で奥歯の位置感覚を認知しながら、頬の内壁へ最先端の指先５の腹側を沿わせながらの感触によってブラシ部分が奥歯の奥側面まで磨けていることを感知することが可能になる。
【００１１】  一方、子供の歯を磨いてやる場合に、指先の最先端５が口内の挿入状況の感触が得られるので、軟質指歯ブラシを挿入し過ぎて子供に嫌悪感を持たせ歯磨きを拒否させない手段も含有している。
【００１２】  通常の使用状態で軟質指歯ブラシ１を舌面に当て、該舌面を磨く場合、ブラシ部分の突起２が軟質であるため舌面を損傷することなく指先の最先端５が露出しているため、舌面の奥への挿入加減が指先５感触で感じることが可能である。
【００１３】  図３は、軟質指歯ブラシ１を指先の背側にブラシ部分を装着して口の中にブラシ部分を歯面に当て指先を曲げると、ブラシベース３が応力ＡとＢに伸び突起２の風合い間隔が広がり突起２自体が図４で現すように応力Ｃが強くなり、突起２の細くなっている先が歯間に食い込んでも応力Ｃによって座屈し難く歯間のプラークが除去されやすくなる特徴がある。
【符号の説明】
【００１４】１    軟質指ブラシ
２    突起（ブラシの毛に当る）
３    ブラシベース
４    指管
４ａ  指管の切り欠き
５    指先の最先端
【図１】
0003182169.tif 000003
【図２】
0003182169.tif 000004
【図３】
0003182169.tif 000005
【図４】
0003182169.tif 000006
(57)【要約】      （修正有）【課題】河川工事に使用されるコンクリートブロックにおいて、川床の土や砂  利を生かし魚等が生息できる構造としたコンクリートブロックを提供する。【解決手段】コンクリートブロックの形状を矩形状の貫通孔を有する構造とし  、さらに積み重ねた際のズレ防止のための接続ピンを配置するピン用穴を複数箇所設けたことを特徴とする。前記貫通孔を設けることにより、川床の土や砂利が堆積し、水生植物や魚等の生息を確保することができる。【選択図】図２
0003182163.tif 000002
【実用新案登録請求の範囲】
１、魚と、川、にやさしい、「コンクリートブロック」本体（姿図の通）
２、同上、本体、段積するときのズレ防止用の接続ピン
【考案の詳細な説明】
【考案の概要】
昨今、河川工事において、川床がコンクリートで固められ魚や、水草などが、生息できない状態になっている、
そこで、川床や、護岸に、このコンクリートブロックを設置することによって自然の川床が確保され、魚等が、生息しやすくなる、よって、この、魚と、川に  やさしい、「コンクリートブロック」を提案する。
【考案の効果】３−１、現在、河川の、川床や、堤防の一部に、現場施工による、コンクリート作りのものがあり、その部分は、川床の土と、川水とが完全に遮断され、透水性が奪われ、水草も、生えない状態です。そこで、この「コンクリートブロック」を、設置し、石や砂利を、敷き詰めることによって、（自然に上流から土砂が流れてきて埋まることも可能）、透水性のある川床ができる。
３−２、又、このブロックの組み合わせを、階段状にしたりして、魚道の代りもできる、
３−３、現在、すでに在る、砂防えん堤などの下流に、時間をかけて、段積みすることによって、なだらかな勾配をつくり、魚が、溯上できるようになる。
３−４、工場生産品の為、現場施工より品質が安定し量産もできる。
コストも、天候に左右されることが無く安くできる。
又、工事期間も安定し、工程表も作りやすい。
0003182163.tif 000003
【手続補正書】
【提出日】平成24年12月5日(2012.12.5)
【手続補正１】
【補正対象書類名】実用新案登録請求の範囲
【補正対象項目名】全文
【補正方法】変更
【補正の内容】
【実用新案登録請求の範囲】
【請求項１】
矩形状の貫通孔を有することを特徴とするコンクリートブロック。
【請求項２】
ズレ防止用の接続ピンを配置するためのピン用穴を有することを特徴とする請求項１記載のコンクリートブロック。
【手続補正２】
【補正対象書類名】明細書
【補正対象項目名】全文
【補正方法】変更
【補正の内容】
【考案の詳細な説明】
【考案の概要】
【０００１】最近河川工事において川床がコンクリートで固められ水草や水生昆虫などが生息できない状態になっているので考案のコンクリートブロックにすることによって自然の状態の川床が確保され水草や水生昆虫や魚などが生息できるようになる。
【考案の効果】
【０００２】考案するコンクリートブロックを設置することによって現地施工するとき天候に左右されることもなく工事期間が安定し品質も良くなり工事費も比較的少なくて済む。
【図面の簡単な説明】
【０００３】
【図１】立体図
【図２】平面図  （エ）ズレ防止用の接続ピン用穴
【図３】ズレ防止用の接続ピン  φ３ｃｍ×８０ｃｍ
【符号の説明】
【０００４】（ア）長手方向４．０ｍ〜４．８ｍ
（イ）短近手方向２．０ｍ〜２．５ｍ
（ウ）厚さ０．４ｍ〜０．８ｍ
（エ）ズレ防止用の接続ピン用穴でありこれはコンクリートブロックを段積みする時のズレ防止用接続ピン用穴とする。
【手続補正３】
【補正対象書類名】図面
【補正対象項目名】全図
【補正方法】変更
【補正の内容】
【図１】
0003182163.tif 000004
【図２】
0003182163.tif 000005
【図３】
0003182163.tif 000006
(57)【要約】      （修正有）【課題】イワシなどの身の軟らかい魚を調理するためのイワシ調理器のワイヤーを交換可能とする構造を提供する。【解決手段】ワイヤー４を取り付ける二股状金具１の先端に切り込み２を入れ、その切込みを通してワイヤーを脱着する。さらに、ワイヤーの両端には留金３を付け、二股状金具に穿った穴に金具の張力により固定する。【選択図】図１
0003182164.tif 000002
【実用新案登録請求の範囲】
【請求項１】
二股状金具の先端に取り付けたピアノ線等の硬質ワイヤーを容易に脱着できる魚調理器構造
【請求項２】
二股状金具の先端に切り込みを入れ、ワイヤー固定部分は浅い穴状にした形状を持つ構造
【請求項３】
ワイヤーの両端には留金を取り付け、その留金を二股状金具先端の穴状部分に固定する構造
【考案の詳細な説明】
【技術分野】
【００１】  本考案は、イワシなどの身の軟らかい魚を調理するためのイワシ調理器のワイヤーを交換可能とする構造に係る。
【背景技術】
【００２】  イワシ調理器はピアノ線等の硬質ワイヤーで身を捌くが、ワイヤーの劣化に対処する必要があると考えられた。
【先行技術文献】
特許文献等の先行技術文献は、平成５年以降の中には確認できない。
【非特許文献】
【００３】  本考案は、考案者が先行して登録願を出した「イワシ調理器」を考案の名称とする実用新案に関連した内容である。
【考案の概要】
【考案が解決しようとする課題】
【００４】  ワイヤーにより、イワシ等の身の軟らかい魚を捌くことを繰り返すと、その身の屑がワイヤーとその支持部に挟まって衛生上の問題が生じたり、ワイヤー自身が伸びて張りがなくなったりすることが考えられる。
【課題を解決するための手段】
【００５】  ワイヤーを取り付ける二股状金具の先端に切れ目を入れ、その切れ目を通してワイヤーを脱着できるようにする。【００６】  ワイヤーの両端には留金を付け、二股状金具に穿った穴に金具の張力により固定する。
【考案の効果】
【００７】  ワイヤーを脱着できるようにしたことにより、二股状金具の清掃と、劣化したワイヤーの取り換えが可能となる。
【考案を実施するための形態】
【００８】  以下に、図面に示す符号を用いてその手順を説明するが、本考案を実施するに当たり、この説明・手順に限定されるものではない。
【００９】  調理器の二股状金具の両端を挟むように持ち、若干力を入れて内側に押すことでワイヤーを取り外す。
【０１０】  必要に応じ金具の先端部分を清掃する。
【０１１】  ワイヤーを取り外したときと同じく金具を内側に押しながら、新しいワイヤーを取り付ける。
【図面の簡単な説明】
【０１２】
【図１】  当該調理器の二股状金具部分を示す平面図である。
【図２】  二股状金具の先端部を示す拡大図である。なお、右端は２の溝に沿った断面である。
【図３】  ワイヤー部分を示す拡大図である。
【符号の説明】
【０１３】  １  ・・・・・  二股状金具
２  ・・・・・  ワイヤー脱着用切れ目
３  ・・・・・  ワイヤー留金
４  ・・・・・  ピアノ線等の硬質ワイヤー
【産業上の利用可能性】
【０１４】  調理業界ではワイヤー状のもので身を捌くことは行われている可能性もあるが、容易にワイヤー交換のできる構造にはなっていないと考えられ、利便性を利用されるものと考えられる。
【図１】
0003182164.tif 000003
【図２】
0003182164.tif 000004
【図３】
0003182164.tif 000005
【手続補正書】
【提出日】平成24年12月6日(2012.12.6)
【手続補正１】
【補正対象書類名】実用新案登録請求の範囲
【補正対象項目名】全文
【補正方法】変更
【補正の内容】
【実用新案登録請求の範囲】
【請求項１】
本体となる二股状金具の先端に、ピアノ線等の硬質ワイヤーを脱着可能な形で取り付けたことを特徴とする魚調理器。
【請求項２】
前記二股状金具の先端面にワイヤー脱着用切れ目を形成し、前記ワイヤー脱着用切れ目の外側面に、前記硬質ワイヤーを取り付けるための穴状部分を形成したことを特徴とする請求項１に記載の魚調理器。
【請求項３】
前記硬質ワイヤーの両端に留金を取り付け、その留金を前記穴状部分に固定することを特徴とする請求項１に記載の魚調理器。
(57)【要約】      （修正有）【課題】ポチ袋や金封がシステム手帳等にファイルされる状態で携帯でき、必要時の使用がスムーズに行われるようにした金銭収納袋体を提供する。【解決手段】金銭を収納するための袋部２の側位置に、ファイル用係止穴４が設けられたファイル部６が切り離し部７を介して一体に設けられてなるポチ袋や金封等として使用される。【選択図】図１
0003182183.tif 000002
【実用新案登録請求の範囲】
【請求項１】
金銭を収納するための袋部の側位置に、ファイル用係止穴が設けられたファイル部が切り離し部を介して一体に設けられてなることを特徴とする金銭収納袋体。
【請求項２】
前記袋部がポチ袋である請求項１記載の金銭収納袋体。
【請求項３】
前記袋部が金封である請求項１記載の金銭収納袋体。
【考案の詳細な説明】
【技術分野】
【０００１】この考案は、ポチ袋や金封等に関する。
【背景技術】
【０００２】  お正月にはお年玉を入れるポチ袋が、冠婚葬祭においては各種の金封が必要となる。このような物品はしまい忘れする場合が多くて必要時に見つかりにくい。また、外出時に突然に必要となる場合もあり、その際には購入するのに手間がかかる。
【考案の概要】
【考案が解決しようとする課題】
【０００３】  この考案は上記の事情に鑑みて行ったもので、ポチ袋や金封がシステム手帳等にファイルされる状態で携帯でき、必要時の使用がスムーズに行われるようにすることを目的とする。
【課題を解決するための手段】
【０００４】  この考案では、金銭を収納するための袋部の側位置に、ファイル用係止穴が設けられたファイル部が切り離し部を介して一体に設けられてなることを特徴とする金銭収納袋体を提供する。【０００５】  上記構成の金銭収納袋体は、係止部のファイル用係止穴それぞれが係止されることによりシステム手帳等にファイルされて携帯可能とされ、使用時は切り離し部で切り離されて袋部が金銭収納袋として使用される。【０００６】  この考案の金銭収納袋体は、お年玉やお小遣い等の少額の金銭を納めるポチ袋、冠婚葬祭時に金銭を納める祝儀袋、不祝儀袋、熨斗袋、香典袋、慶弔袋等の金封等として好適に用いられる。【０００７】  この考案の金銭収納袋体は、適宜のシート材料により適宜の方法により制作できるが、全体が１枚の所定形態の紙片により形成されることでその制作が容易に、かつ、安価に行える。
【考案の効果】
【０００８】  この考案によれば、ポチ袋や金封等がシステム手帳等にファイルされる状態で携帯でき、必要時の使用がスムーズに行われるようになる。
【図面の簡単な説明】
【０００９】
【図１】  この考案の金銭収納袋体の実施形態の正面図
【図２】  この考案の金銭収納袋体の実施形態の展開図
【図３】  この考案の金銭収納袋体の実施形態の使用状態図
【図４】  この考案の金銭収納袋体の他の実施形態の正面図
【考案を実施するための形態】
【００１０】  金銭収納袋体１は、ポチ袋形態の袋部２の側位置にファイル用係止穴４が設けられた係止部６がミシン目７（切り離し部）を介して一体に設けられて構成されている。
【００１１】  金銭収納袋体１は１枚の紙片１０よりなり、紙片１０は表面に「お年玉」の印刷表示１１がなされた前面部１２と、側縁にミシン目７を介して係止部６が備えられた後面部１４と、下貼り合わせ部１６と、側貼り合わせ部１８と、蓋部２１とからなり、後側に折り曲げられた側貼り合わせ部１８面に同様に折り曲げられた後面部１４の内面が貼り付けられ、その後面部１４の下部に後方に折り曲げられた下貼り合わせ部１６が貼り付けられて金銭収納袋１は形成されている。
【００１２】  図３は金銭収納袋体１がシステム手帳２０にファイルされた状態を示し、係止部６のファイル用係止穴４のそれぞれにステムファイル２０の湾曲係止部２２それぞれが係止されてファイルされている。この状態において金銭収納袋体１はシステム手帳２０とともに携帯され、使用時はミシン目７で切り離されて袋部２がポチ袋として使用される。
【００１３】  図４は他の実施形態を示し、金銭収納袋体１０１は祝儀袋形態の袋部１０２の側位置にファイル用係止穴１０４が設けられた係止部１０６がミシン目１０７を介して一体に設けられて構成されている。この金銭収納袋体１０１はその表面に「寿」や「水引模様」等の印刷表示１１１がなされた簡易タイプの祝儀袋として構成されている。金銭収納袋体１０１は上記の実施例のものと同様に１枚の紙片より作成され、また、上記実施例物のものと同様にシステム手帳等にファイルされて用いられる。
【符号の説明】
【００１４】  １  金銭収納袋体
２  袋部
４  ファイル用係止穴
６  係止部
７  ミシン目（切り離し部）
【図１】
0003182183.tif 000003
【図２】
0003182183.tif 000004
【図３】
0003182183.tif 000005
【図４】
0003182183.tif 000006
(57)【要約】      （修正有）【課題】海底に設置するアンカーとフロート物の間に複数の補助アンカーを施すことで、水面の大波や急激な水流速エネルギーを吸収することで水面フロート物や接続ケーブル・ロープ・チェーンの切断及び海底設置アンカーの移動や破損を防止する効果があるフロート固定アンカー装置を提供する。【解決手段】フロート物１に接続するケーブル・ロープ・チェーン２に補助アンカー３・４を施し末端のアンカー５でフロート物を固定して、フロート物１が水面の大波や急激な水流速エネルギー衝撃を受けたときに、フロート物１の破損やケーブル・ロープ・チェーン２の切断及び海底設置アンカー５の移動や破損を補助アンカー３・４で防止する。【選択図】図１
0003182185.tif 000002
【実用新案登録請求の範囲】
【請求項１】
水面フロート物とアンカーとの間に、１つ又は複数の補助アンカーを介して接続する、フロート固定アンカー装置。
【請求項２】
前記複数の補助アンカーは、前記水面フロート物と前記アンカーとの間に直列に接続する物であって、前記水面フロート物に近い側が最も軽く前記アンカーに近い側が重いものである、請求項１記載のフロート固定アンカー装置。
【考案の詳細な説明】
【技術分野】
【０００１】  本考案は、水上フロート物の固定アンカー装置に関するものである。
【背景技術】
【０００２】  従来の水上フロート物の固定アンカーにおいては、水面フロート物と海底設置アンカーをケーブル・ロープ・チェーン等で固定していたが、水面の大波や急激な水流速エネルギーのときに、フロート物の破損やケーブル・ロープ・チェーンの切断及び海底設置アンカーの移動や破損の問題があった。
【先行技術文献】
【０００３】
【特許文献１】登録実用新案  第３０３４０９３号  広報
【考案の開示】
【考案が解決しようとする課題】
【０００４】  考案が解決しようとする課題は、水面の大波や急激な水流速エネルギーの衝撃で、フロート物の破損やケーブル・ロープ・チェーンの切断及び海底設置アンカーの移動や破損をする課題を解決しようとする物である。
【課題を解決するための手段】
【０００５】  本考案は、水面フロート物の固定にケーブル・ロープ・チェーン等で海底に設置したアンカーと接続し固定していたが、水面の大波や急激な水流速エネルギー衝撃のときに、フロート物の破損やケーブル・ロープ・チェーンの切断及び海底設置アンカーの移動や破損をしていた事を、海底に設置するアンカーとフロート物の間に図１−３・４で示す複数の補助アンカーをフロート物に近い順にアンカー質量を小さくした複数アンカーを施すことで、水面の大波や急激な水流速エネルギーをフロート物に近い順の質量が小さなアンカー順序で吸収することで、水面フロート物の破損やケーブル・ロープ・チェーンの切断及び海底設置アンカーの移動や破損を防止することで課題を解決した物である。
【考案の効果】
【０００６】  本考案の効果は、例えば海底に設置するアンカーとフロート物の間に図１−３・４で示す複数の補助アンカーを施すことで、水面の大波や急激な水流速エネルギーを吸収することで水面フロート物や接続ケーブル・ロープ・チェーンの切断及び海底設置アンカーの移動や破損を防止する効果がある。
【図面の簡単な説明】
【０００７】
【図１】は、フロート物１とアンカー５の間に補助アンカー３・４を施し接続ケーブル・ロープ・チェーン２でフロート物１を固定した形態の側面図。
【０００８】
【図２】は、フロート物１とアンカー５の間に補助アンカー３・４を施し接続ケーブル・ロープ・チェーン２でフロート物１を固定した形態の平面図。
【考案を実施するための最良の形態】  以下、本考案の実施形態を図に基づいて説明をする。【０００９】  図１は、フロート物１に接続するケーブル・ロープ・チェーン２に補助アンカー３・４を施し末端のアンカー５でフロート物を固定して、フロート物１を水面の大波や急激な水流速エネルギー衝撃のときに、フロート物１の破損やケーブル・ロープ・チェーン２の切断及び海底設置アンカー５の移動や破損を補助アンカー３・４で水面の大波や急激な水流速エネルギーを吸収して防止した、実施形態のフロート固定アンカー装置の側面図である。【００１０】  図２は、図１の平面図である。
【符号の説明】
【００１１】１  フロート物
２  ケーブルやロープ及びチェーン
３  補助アンカー
４  補助アンカー
５  アンカー
６  水面
７  海底及び湖底
【図１】
0003182185.tif 000003
【図２】
0003182185.tif 000004
(57)【要約】      （修正有）【課題】ビニールハウスを雪による上からの負荷や風による横からの負荷に対して倒壊から守る支柱装置を提供する。【解決手段】刺股のような形のパイプ状の支柱１で、Ｕ字状の両端にパイプと台座３との間をボルト等のネジ４や溶接により固定し、内側にウレタンやゴム等の緩衝材を貼ることで金属同士の動きを緩和させた留め金５にビニールハウスの骨組み２を差し込み固定する。また、パイプ状の支柱１の下の部分にジャッキベース６を入れて、ジャッキを上げることで雪による縦からの負荷や風による横からの負荷を防ぐことでビニールハウスの強度を増加し、ビニールハウスの倒壊を防ぐ。【選択図】図１
0003182188.tif 000002
【実用新案登録請求の範囲】
【請求項１】
刺股のような形にしたパイプ状の支柱で、Ｕ字の端の部分で間隔が一番開いた所にパイプと台座との間をボルト等のネジや溶接により固定し、台座の上にビニールハウスの骨組みをとめる留め金がついてあり、この留め金の内側にはウレタンやゴム等の緩衝材を貼りことで金属同士の動きを緩和ことで、雪による上からの負荷や風による横からの負荷に対して強度を増し、ビニールハウスの倒壊を防ぐ支柱装置。
【考案の詳細な説明】
【技術分野】
【０００１】  本装置は、冬期にビニールハウスを使用する際に、雪及び風によるビニールハウスの倒壊を防ぐ支柱装置である。
【背景技術】
【０００２】  一年中もしくは一時的でもビニールハウスを利用する場合において、雪や強風によるビニールハウスの倒壊により損害することがある。
【先行技術文献】
【０００３】  雪や強風による影響を防ぐために、ビニールハウスの頂部で水平に配置してあるビニールハウスの骨組みと側面から頂部に対して垂直にあるビニールハウスの骨組みが交差する箇所に木や発泡スチロール製の板状の物をヒモで固定し、固定した板状の所にジャッキベースに差し込んだパイプによる支柱をあてることで倒壊を防いできた。
【考案の概要】
【考案が解決しようとする課題】
【０００４】  ビニールハウスの頂部で水平に配置しているビニールハウスの骨組みと側面から頂部に対して垂直にくるビニールハウスの骨組みが交差する箇所に木や発泡スチロール製の板状の物をヒモで固定し、板状の物を目標にジャッキベースに差し込んだパイプ状の支柱をジャッキベースで上げることにより雪による倒壊を防ぐことができるが、風によるビニールハウスの横の動きに対して弱く、板状の物の中心からパイプ状の支柱がずれて雪の重みでビニールハウスが倒壊することがある。【０００５】  そしてビニールハウスの頂部で水平に配置しているビニールハウスの骨組みと側面から頂部に対して垂直にくるビニールハウスの骨組みが交差する箇所にパイプで支える時も、固定箇所の中心に合わせるのに手間がかかる。
【課題を解決するための手段】
【０００６】  刺股のような形のパイプ状の支柱で、Ｕ字の端の部分で間隔が一番開いた所にパイプと台座との間をボルトや溶接で固定し、台座の上の留め金を設けることで、ビニールハウスの頂部で水平に配置しているビニールハウスの骨組みと側面から頂部に対して垂直に交差する箇所に影響しないでビニールハウスの屋根を支えることができる。【０００７】  また、ビニールハウスの骨組みが留め金に差し込んだ際、ビニールハウスの骨組みと留め金が接触する内側にウレタンやゴム等の緩衝材を接着することで、風による振動を緩和する。
【考案の効果】
【０００８】  刺股のような形の両先に留め金を設けることで、従来の交差部分にジャッキベースに差し込んだパイプ状の支柱で支えるよりも雪の縦からの負荷や風による横からの影響に対しても安定性が増すことができる。【０００９】  また、ビニールハウスの骨組みを挟む留め金の内側の部分にウレタンやゴム等の緩衝材を接着することで、風による振動を抑えることでビニールハウスに倒壊しないようにする。
【図面の簡単な説明】
【００１０】
【図１】ビニールハウスに支えているパイプ状の支柱図
【図２】正面図
【図３】側面図
【図４】ビニールハウスの骨組みに差し込む留め金
【図５】ビニールハウスの骨組みに差し込んだ状態の留め金
【考案を実施するための形態】
【００１１】  刺股のような形にしたパイプ状の支柱１であり、Ｕ字の端の部分で間隔が一番開いた所に支柱１と台座３との間をボルト４等のネジや溶接により固定し、台座３の上にビニールハウスの骨組み２をとめる留め金５を設置する。
【００１２】  ビニールハウスの骨組み２の頂部付近で、両側面から頂部に向かうビニールの骨組み２にパイプ状の支柱１のＵ字の先端部分で間隔が一番開いた所につけた留め金５に差し込む。
【００１３】  留め金５の内側でビニールハウスの骨組み２が接する内側にはウレタンやゴム等の緩衝材７を用いることでビニールハウスの骨組み２と留め金５部分の金属同士の動きを抑える。
【００１４】  パイプ状の支柱１の下部の部分にジャッキベース６をさし、パイプ状の支柱１とビニールハウスの骨組み２が動かなくなるまでジャッキベース６を上げることで雪による上からの負荷や風による横からの負荷に対して持ち堪えることができる。
【産業上の利用可能性】
【００１５】  ビニールハウスのように中心部に支柱がない簡易的な建物であり、冬期間物品の出入りが少ない農業機械の簡易的倉庫にも適応できる。
【符号の説明】
【００１６】  １  支柱
２  骨組み
３  台座
４  ねじ
５  留め金
６  ジャッキベース
７  緩衝材
【図１】
0003182188.tif 000003
【図２】
0003182188.tif 000004
【図３】
0003182188.tif 000005
【図４】
0003182188.tif 000006
【図５】
0003182188.tif 000007
(57)【要約】      （修正有）【課題】戸外で採取した氷の偏光画像を撮影し、その画像を意匠として表面に印刷等により表示した手鏡等の携帯品を提供する。【解決手段】光源（４）からの光をすりガラス（５）によって拡散し、偏光板１（６）、採取した氷（７）、偏光板２（８）を通し、透過した光をカメラ（９）で撮影し、氷の偏光画像を入手する。偏光板２（８）を回転することにより画像の色合い、コントラストを調整する。偏光板２（８）はカメラ（９）に装着してもよい。上記の画像を印刷、転写、スクリーン印刷、バックプリント等の手段により、日常生活で身につけたり、持ち運んで使用するバッジや手鏡等の表面に表示する。表示内容は、上記の画像以外に氷の形成情報を追加しても良い。【選択図】図２
0003182187.tif 000002
【実用新案登録請求の範囲】
【請求項１】
氷の偏光画像（２）を表示したバッジ。
【請求項２】
氷の偏光画像（２）を表示した手鏡。
【請求項３】
氷の偏光画像（２）を表示した携帯電話用ストラップ。
【請求項４】
氷の偏光画像（２）と該氷の形成情報（３）とを組み合わせて表示したバッジ。
【請求項５】
氷の偏光画像（２）と該氷の形成情報（３）とを組み合わせて表示した手鏡。
【請求項６】
氷の偏光画像（２）と該氷の形成情報（３）とを組み合わせて表示した携帯電話用ストラップ。
【考案の詳細な説明】
【技術分野】
【０００１】  本考案は、戸外で採取した氷の偏光画像を撮影し、その画像をデザインに活用した携帯品に関するものである。
【背景技術】
【０００２】  携帯品のデザインに幾何学模様を用いることがある。
【考案の開示】
【考案が解決しようとする課題】
【０００３】  解決しようとする問題点は、幾何学模様はデザイナーがコンピュータグラフィックなどによって作成していたため、制作に経費を要し、デザインの創作性にも限界があった。
【課題を解決するための手段】
【０００４】  本考案は、冬の戸外で採取した氷を、２枚の偏光板の間に置き、偏光板の角度を調整して得られる氷の結晶状態に起因する模様の氷の偏光画像を幾何学模様として活用するものである。
【考案の効果】
【０００５】  氷の偏光画像は、氷の結晶状態が氷ができる時の気温、湿度、風速等の気象条件によって異なることから、唯一な模様が安価に入手できる。
氷を採取した日付、地点名、氷の厚さやその日の気象条件等の氷の形成情報を表示することで、気象現象に関心を引き、地球温暖化防止活動に対する啓蒙が期待できる。
【考案を実施するための最良の形態】
【０００６】  以下、本考案を実施するための最良の形態について図を参照して説明する。
図２は氷の偏光画像を入手する形態を示す。
光源（４）からの光をすりガラス（５）によって拡散し、偏光板１（６）、採取した氷（７）、偏光板２（８）を通し、透過した光をカメラ（９）で撮影し、氷の偏光画像を入手する。
偏光板２（８）を回転することにより画像の色合い、コントラストを調整する。
偏光板２（８）はカメラ（９）に装着してもよい。【０００７】  図１は携帯品の一例であるバッジ（１）の表面に、戸外で採取した氷の偏光画像（２）と、氷を採取した日付、地点名、氷の厚さと、採取した日の気象条件としての最低気温などから、氷を採取した状況を説明するために有効と考える情報を氷の形成情報（３）として表示する。バッジの裏面には安全ピン（１１）がある。氷の偏光画像（２）と氷の形成情報（３）の組み合わせ方は図１では氷の偏光画像（２）の下側に氷の形成情報（３）を並べて表示しているが、氷の偏光画像（２）の周辺に氷の形成情報（３）を重ねても良い。また、氷の偏光画像（２）と氷の形成情報（３）をバッジ（１）のそれぞれ別の面に配置してもよい。氷の形成情報には「初氷」「木枯らし１号」等の気象情報を表示しても良い。
表示方法は印刷、転写、スクリーン印刷、バックプリント等である。
携帯品は日常生活で身につけたり、持ち運んで使用するものである。
【実施例】
【０００８】  以下、添付図面に従って実施例を説明する。
図１は氷の偏光画像（２）と氷の形成情報（３）を表示した携帯品としてのバッジ（１）である。氷の形成情報（３）はバッジ（１）の安全ピンがある裏面に表示してもよい。【０００９】  図３は氷の偏光画像（２）と氷の形成情報（３）を表示した携帯品としての手鏡（１２）である。鏡面（１３）の裏側に氷の偏光画像（２）と氷の形成情報（３）を表示してある。【００１０】  図４は氷の偏光画像（２）を表示した携帯品としての携帯電話用ストラップ（１４）である。
【図面の簡単な説明】
【００１１】
【図１】本考案のバッジの平面図である。（Ａ）は表面，（Ｂ）は裏面を表わす。
【図２】氷を使って幾何学模様を撮影する方法を示した説明図である。
【図３】本考案の手鏡の平面図である。（Ａ）は表面，（Ｂ）は鏡面を表わす。
【図４】本考案の携帯電話用ストラップの平面図である。
【符号の説明】
【００１２】１  本考案の係わるバッジ
２  氷の偏光画像の表示
３  氷の形成情報
４  光源
５  すりガラス
６  偏光板１
７  採取した氷
８  偏光板２
９  カメラ
１１  安全ピン
１２  本考案の係わる手鏡
１３  鏡面
１４  本考案の係わる携帯電話用ストラップ
【図１】
0003182187.tif 000003
【図２】
0003182187.tif 000004
【図３】
0003182187.tif 000005
【図４】
0003182187.tif 000006
(57)【要約】      （修正有）【課題】封筒をシステム手帳等にファイルされる状態で携帯でき、必要時の使用がスムーズにできる封筒片を提供する。【解決手段】封筒片１は、封筒部２の一方の側位置にミシン目３を介して便箋部５が一体に設けられ、さらに便箋部５の側位置にファイル用係止穴４が設けられた係止部６がミシン目７（切り離し部）を介して一体に設けられて構成されている。さらに、封筒片１は１枚の紙片よりなり、前面部と、側部に便箋部５、係止部６が備えられた後面部と、下貼り合わせ部と、側貼り合わせ部と、蓋部とからなり、後側に折り曲げられた側貼り合わせ部面に同様に折り曲げられた後面部の内面が貼り付けられ、その後面部の下部に後方に折り曲げられた下貼り合わせ部が貼り付けられて封筒片１を形成する。【選択図】図１
0003182184.tif 000002
【実用新案登録請求の範囲】
【請求項１】
封筒部の側位置に、ファイル用係止穴が設けられたファイル部が切り離し部を介して一体に設けられてなることを特徴とする封筒片。
【請求項２】
便箋部を一体に備える請求項１記載の封筒片。
【考案の詳細な説明】
【技術分野】
【０００１】この考案は、封筒に関する。
【背景技術】
【０００２】  仕事を進める中で、郵送時や小片や金銭を収納して手渡しする際等において封筒を必要と場合が多々生じる。そのような際に封筒が手元に無い場合が多く、また、外出時に突然に必要となる場合には購入するのに手間がかかる。
【考案の概要】
【考案が解決しようとする課題】
【０００３】  この考案は上記の事情に鑑みて行ったもので、封筒をシステム手帳等にファイルされる状態で携帯でき、必要時の使用がスムーズに行われるようにすることを目的とする。
【課題を解決するための手段】
【０００４】  この考案では、封筒部の側位置に、ファイル用係止穴が設けられたファイル部が切り離し部を介して一体に設けられてなることを特徴とする封筒片を提供する。【０００５】  上記構成の封筒片は、係止部のファイル用係止穴それぞれが係止されることによりシステム手帳等にファイルされて携帯可能とされ、使用時は切り離し部で切り離されて封筒部が封筒として使用される。【０００６】  とくに、便箋部が一体に備えられた構成とされることで、封筒部が郵送使用される際に便箋部が便箋として使用でき、別途便箋を必要としない。
【考案の効果】
【０００７】  この考案によれば、封筒をシステム手帳等にファイルされる状態で携帯でき、必要時の使用がスムーズに行われるようにすることを目的とする。
【図面の簡単な説明】
【０００８】
【図１】  この考案の封筒片の実施形態の正面図
【図２】  この考案の封筒片の実施形態の展開図
【図３】  この考案の封筒片の実施形態の使用状態図
【図４】  この考案の封筒片の他の実施形態の正面図
【考案を実施するための形態】
【０００９】  封筒片１は、封筒部２の一方の側位置にミシン目３を介して便箋部５が一体に設けられ、さらに便箋部５の側位置にファイル用係止穴４が設けられた係止部６がミシン目７（切り離し部）を介して一体に設けられて構成されている。
【００１０】  封筒片１は１枚の紙片１０よりなり、前面部１２と、側部に便箋部５、係止部６が備えられた後面部１４と、下貼り合わせ部１６と、側貼り合わせ部１８と、蓋部２１とからなり、後側に折り曲げられた側貼り合わせ部１８面に同様に折り曲げられた後面部１４の内面が貼り付けられ、その後面部１４の下部に後方に折り曲げられた下貼り合わせ部１６が貼り付けられて封筒片１は形成されている。
【００１１】  図３は封筒片１がシステム手帳２０にファイルされた状態を示し、係止部６のファイル用係止穴４のそれぞれにステムファイル２０の湾曲係止部２２それぞれが係止されてファイルされている。この状態において封筒片１はシステム手帳２０とともに携帯され、使用時はミシン目７で切り離され、さらに、ミシン目３で切り離されて封筒部２と便箋部５とに分離され、封筒部２が縦長の封筒として、便箋部５が便箋として用いられて郵送に使用される。封筒部２のみを収納袋として使用することもできる。
【００１２】  図４は他の実施形態を示し、封筒片１０１は、横長の封筒部１０２の蓋部１０９の側位置にミシン目１０３を介して便箋部１０５が一体に設けられ、さらに便箋部１０５の側位置にファイル用係止穴１０４が設けられた係止部１０６がミシン目１０７（切り離し部）を介して一体に設けられて構成されている。この封筒片１０１によれば横長の封筒が得られる。封筒片１０１は幅広であるので、ミシン目１０３部分が折り畳まれる状態においてシステム手帳にファイルされる。封筒片１０１は上記の実施例のものと同様に１枚の紙片より形成される。
【符号の説明】
【００１３】１  封筒片
２  封筒部
４  ファイル用係止穴
５  便箋部
６  係止部
７  ミシン目（切り離し部）
【図１】
0003182184.tif 000003
【図２】
0003182184.tif 000004
【図３】
0003182184.tif 000005
【図４】
0003182184.tif 000006
(57)【要約】      （修正有）【課題】汚れた時に何回でも取りはずして洗濯できるようにした帽子インナーを提供する。【解決手段】できるだけ帽子の頭部の形にガーゼハンカチーフＣ等吸収性にすぐれた材質の布を丸く切り囲りをバイヤス（余り布でも良い）で帽子インナーのふちを軽く縫って整え、４ヶ所面ファスナーＢをとり付ける。同じ様に帽子側にも面ファスナーを取り付ける。この構造により、汚れた時に帽子インナーを何回でも取りはずし洗濯機で簡単に洗える様になる。【選択図】図２
0003182158.tif 000002
【実用新案登録請求の範囲】
【請求項１】
帽子の低価格の物を選びガーゼハンカチーフをマジックテープで簡単に取りはずせいつでも洗濯可能な帽子。
【考案の詳細な説明】
【技術分野】
【０００１】本考案は男性，女性共に帽子装着の際、四季を問わず発汗する不快感，汗染，及び発汗による帽子に移る黒染，さらには悪臭，そして女性に関しては最も気になるお化粧（ファンデーションや日焼け止め）などを解決するものである
【背景技術】
【０００２】同上の状況においては移着してしまった発汗の汗染，黄染，黒染及び悪臭吸収のまま帽子装着に至る場合がほとんどである。
【先行技術文献】
【実用新案文献】
【０００３】
【実用新案文献１】
公開実用平成２−３３３
【実用新案文献２】
公開実用昭和６３−３９１２８
【実用新案文献３】
公開実用昭和６３−１４３５２５
【実用新案文献４】
公開実用昭和６２−１５７９２４
【実用新案文献５】
実用新案登録願第３１０６２７６号
【実用新案文献６】
特開２００８−１６３５２４
【実用新案文献７】
特開２００８−１６３５２４
【実用新案文献８】
特開２０１１−２５１１１１
【実用新案文献９】
特開２００３−３３１８
【実用新案文献１０】
特開２００９−８４７６６
【実用新案文献１１】
実用新案登緑第３１６６６１４号
【考案の概要】
【考案が解決しようとする課題】
【０００４】帽子装着の際、帽子本体に移着する発汗の際の汗染，黄染茶染，黒染，悪息吸収およびお化粧（ファンデーションや日焼け止めなど。）の帽子のおでこ全体に渡る、汗染み色移りなどを解決。
【課題を解決するための手段】
【０００５】まず帽子本体に吸収されてしまう汗と汗染，お化粧（ファンデーションや日焼け止め・の醜い色移りなどの問題を解決すること。本考案は帽子本体をできるだけ簡単に帽子を購入した時と同様に美しく保ち、尚かつ、発汗お化粧による帽子全体が受ける大きなダメージなどのさまざまな問題点を解決する。
【考案の効果】
【０００６】上述の様に本考案のガーゼハンカチーフ（作成時に少量のマジックテープとバイヤスが必要）による汗吸収、およびお化粧（ファンデーション）の汚れを防ぐ対策として非常に役立つ。
【図面の簡単な説明】
【０００７】
【図１】本考案の簡単でシンプルかつリーズナブル（約１２０円くらい）な帽子用ガーゼハンカチーフカバーを示す正面図である。
【図２】本考案帽子ガーゼハンカチーフカバーの一部の欠断面図である。
【考案を実施するための形態】
【０００８】安価のガーゼハンカチーフを一枚購入し、家の中を捜せばどこかに必ずある少量のマジックテープで簡単に作成できる。
できるだけ帽子の頭部の形にガーゼハンカチーフを丸く切りまわりをバイヤス（余り布でも良い）でふちを軽く縫って整え４ヶ所マジックテープを取り付ける。同じ様に帽子にも取り付ける。
こらなら汚れた時に何回でも取りはずし洗濯機で簡単に洗える。
【実施例】
【０００９】以下添付図面に従って利便性を説明する。【００１０】ＡとＢをくっつけるだけで装着できる。【００１１】（１）本考案の使用例の利点は至って簡単でシンプルであること。
（２）リーズナブルであること。
（３）男性，女性を問わず年令を問わず大勢の人達が、帽子の汗染みやお化粧移りで因っていらっしゃる問題の解決策であること。
【符号の説明】
【００１２】Ａ  マジックテープ
Ｂ  マジックテープのとめる方
Ｃ  ガーゼハンカチーフ
Ｄ  必ずマジックテープはガーゼハンカチーフの外側に付けること
Ｅ  バイヤステープ
【図１】
0003182158.tif 000003
【図２】
0003182158.tif 000004
【手続補正書】
【提出日】平成24年12月21日(2012.12.21)
【手続補正１】
【補正対象書類名】実用新案登録請求の範囲
【補正対象項目名】全文
【補正方法】変更
【補正の内容】
【実用新案登録請求の範囲】
【請求項１】
半球形状であって内側に等間隔に取りつけられた４個の面ファスナーをそなえ吸収性のすぐれた材質の布を帽子の頭部の形に合わせて丸く切りふちを縫った事を特徴とする帽子インナー
【手続補正２】
【補正対象書類名】明細書
【補正対象項目名】０００６
【補正方法】変更
【補正の内容】
【０００６】上述の様に本考案のガーゼハンカチーフ（作成時に少量の面ファスナーとバイヤスが必要）による汗吸収、およびお化粧の汚れを防ぐ対策として非常に役立つ。
【手続補正３】
【補正対象書類名】明細書
【補正対象項目名】０００８
【補正方法】変更
【補正の内容】
【０００８】安価で大判のガーゼハンカチーフを一枚購入し家の中を捜せばどこかに必ずある小量の面ファスナーで簡単に作成できる
できるだけ帽子の頭部の形にガーゼハンカチーフを丸く切り囲りをバイヤス（余り布でも良い）で帽子インナーのふちを軽く縫って整え４ヶ所面ファスナーをとり付ける
同じ様に帽子にも取り付ける
これなら汚れた時に帽子インナーを何回でも取りはずし洗濯機で簡単に洗える
【手続補正４】
【補正対象書類名】明細書
【補正対象項目名】００１２
【補正方法】変更
【補正の内容】
【００１２】Ａ  面ファスナー
Ｂ  面ファスナーのとめる方
Ｃ  ガーゼハンカチーフ
Ｄ  必ず面ファスナーは帽子インナーの外側につけること
Ｅ  バイヤステープ